(57)【特許請求の範囲】
【請求項１】
塗布液を溜める塗布液容器と、塗布液容器の先端側に取り付けられた塗布部材と、所定の力で押圧することによって開く弁を有し、当該弁は塗布液容器と塗布部材の間に設けられ、塗布部材を押圧することよって弁を開き、塗布液容器内の塗布液を塗布部材に導く塗布具において、塗布部材よりも剛性が高く、且つ塗布部材の押圧方向に移動可能な筒状部材を有し、塗布部材は前記筒状部材に摺動可能に挿入されていて前記筒状部材に対して突出及び没入可能であり、さらに塗布部材は、前記弁を開くのに要する力よりも弱い付勢力を発現する付勢手段によって前記筒状部材から突出する方向に付勢され、塗布部材を押圧することにより塗布部材は筒状部材の中に没入し、さらに筒状部材を押圧することにより筒状部材が移動して弁を押圧し、塗布液容器の先端には先栓部が設けられ、筒状部材は後端部が閉塞されていると共に側面に開口が設けられ、前記筒状部材は先栓内を摺動可能であり、且つ筒状部材の側面の開口部分の周囲には塗布液吸収体が配されて前記開口が閉塞され、筒状部材が押圧されて摺動した際に、前記開口が塗布液吸収体を離れることを特徴とする塗布具。
【発明の詳細な説明】
【０００１】
【発明の属する技術分野】
本発明は、塗布液を塗布する器具に関するものである。本発明の塗布具は、マニキュアを爪に塗る用途や、マニキュアの除光液を塗布する用途、或いはワックス液、さび取り液等を塗布する用途の器具として特に好適である。
【０００２】
【従来の技術】
一般にマニキュアは、ガラスの小瓶に入れられ、蓋と一体化されたはけによって爪に塗布される。またマニキュアの除光液は、瓶とは別体のはけやスポンジ、或いは脱脂綿等に含ませて使用される。これらの塗布具は、はけ等を一々瓶に差し込んで、はけ等に液を含ませる必要があり、使い勝手が悪い。そこでマニキュア等を塗布するための器具として、塗布液容器と弁及び塗布部材が一体となっていて塗布液容器から塗布液が供給される形式の塗布具が提案されている（特開昭６２−７８４８６号，特開昭６２−７８４８７号，特開昭６２−７８４８７号他）。
【０００３】
図５は、特開昭６２−７８４８６号に開示された従来技術の塗布具の断面図である。従来技術の塗布具１００では、図５の様に、塗布液容器１０１の先端に先栓１０２が取り付けられている。そして当該先栓１０２に塗布部材１０３が摺動可能に取り付けられている。塗布部材１０３は、マニキュア液等を滲み出させて、爪等に塗り付けるものである。そして塗布液容器１０１と塗布部材１０３の間には、弁１０５が設けられている。弁１０５は、枠状の支持体１０６と弁座１０７及び棒状の弁本体１１０によって構成され、弁本体１１０は、バネ１１１によって弁座１０７に向かって付勢されている。そのため弁本体１１０は、常時弁座１０７と当接し、塗布液容器１０１は弁１０５によって封鎖されている。そして上記した塗布部材１０３の後端部が、弁１０５の弁本体１１０に直接的に当接している。
【０００４】
従来技術の塗布具１００を使用して爪にマニキュア液を塗布する場合は、爪に塗布部材１０３を当接し、塗布部材１０３を押して先栓１０２の中に押し込む。すると塗布部材１０３の後端が弁本体１１０を押し、弁本体１１０を塗布液容器１０１側に移動させる。その結果、弁本体１１０が弁座１０７を離れ、塗布液容器１０１内のマニキャア液が、弁座１０７の開口を経て先栓１０２側に流れ込む。そしてマニキュア液は、塗布部材１０３に導かれ、爪に塗布される。
【０００５】
【発明が解決しようとする課題】
従来技術の塗布具は、塗布液容器１０１内のマニキュア液が塗布部材１０３に流れ込むので、旧来の様に一々塗布部材を瓶に差し込む手間はいらない。しかしながら、従来技術の塗布具は、塗布部材の素材が限定され、爪に塗りにくいという不満がある。より具体的に説明すると、マニキュア液を爪に塗るには、はけ又は筆状の塗布部材を使用することが望ましいが、従来技術の構造では、このような軟質の塗布部材を採用することができない。すなわちこの種の塗布具１００では、弁体１１０が常時バネ１１１によって付勢されている。したがって使用時には、塗布部材１０３をバネ１１１に抗して先栓１０２内に押し込む必要がある。そのため従来技術の塗布具１００では、塗布部材１０３にバネ１１１の付勢力に負けないだけの剛性が要求され、はけや筆の様な軟質の塗布部材を採用することができない。すなわち従来技術の塗布具では、弁１０５を開くために、樹脂チップ等の直線方向の剛性が高い塗布部材を採用する必要があり、はけ状の塗布部材を採用した場合には、いわゆる腰折れ状態となって弁１０５を開くことができない。
【０００６】
そこで本発明は、従来技術の上記した問題点に注目し、はけや筆に代表される軟質の塗布部材を使用することができる塗布具の開発を課題とするものである。
【０００７】
そして上記した課題を解決するための請求項１に記載の発明は、塗布液を溜める塗布液容器と、塗布液容器の先端側に取り付けられた塗布部材と、所定の力で押圧することによって開く弁を有し、当該弁は塗布液容器と塗布部材の間に設けられ、塗布部材を押圧することよって弁を開き、塗布液容器内の塗布液を塗布部材に導く塗布具において、塗布部材よりも剛性が高く、且つ塗布部材の押圧方向に移動可能な筒状部材を有し、塗布部材は前記筒状部材に摺動可能に挿入されていて前記筒状部材に対して突出及び没入可能であり、さらに塗布部材は、前記弁を開くのに要する力よりも弱い付勢力を発現する付勢手段によって前記筒状部材から突出する方向に付勢され、塗布部材を押圧することにより塗布部材は筒状部材の中に没入し、さらに筒状部材を押圧することにより筒状部材が移動して弁を押圧し、塗布液容器の先端には先栓部が設けられ、筒状部材は後端部が閉塞されていると共に側面に開口が設けられ、前記筒状部材は先栓内を摺動可能であり、且つ筒状部材の側面の開口部分の周囲には塗布液吸収体が配されて前記開口が閉塞され、筒状部材が押圧されて摺動した際に、前記開口が塗布液吸収体を離れることを特徴とする塗布具である。
【０００８】
本発明の塗布具は、従来技術の塗布具と同様に塗布液容器を有し、塗布液容器内の塗布液が塗布部材に導かれるものである。そして本発明の塗布具では、塗布部材よりも剛性が高い筒状部材を備え、塗布部材は、この筒状部材に対して突出及び没入可能である。また塗布部材は、弁を開くのに要する力よりも弱い付勢力を発現する付勢手段によって前記筒状部材から突出する方向に付勢されている。本発明の塗布具を使用する際には、従来技術と同様に塗布部材を爪等に押し当てる。ここで本発明の塗布具では、塗布部材は、弁を開くのに要する力よりも弱い付勢力を発現する付勢手段によって付勢されているので、弁を開くまでには至らない弱い力で筒状部材の中に没入する。したがって、一定以上の力で塗布部材を押圧すると、塗布部材は筒状部材の中に沈み、爪等には筒状部材が直接的に接する。ここで筒状部材は、塗布部材に比べて高い剛性を持つので、座屈することなく押圧力を弁に伝え、弁を開く。その結果、塗布液容器から塗布液が流れ出し、塗布部材を介して爪等に液が塗布される。すなわち本発明の塗布具は、押圧の初期段階で塗布部材が筒状部材の中に沈み、後は筒状部材が軸方向力を負担して弁を開き、塗布液容器から塗布液を導入する。
【０００９】
本発明の塗布具では、筒状部材は後端部が閉塞されていると共に側面に開口が設けられている。そして当該開口の周囲には塗布液吸収体が配されているから、開口は常時閉塞されている。ただし開口を閉塞する部材は、例えばスポンジ等の塗布液吸収体であるから、開口は、緩く閉じられているに過ぎず、厳密な液密状態ではない。そして本発明の塗布具では、塗布部材が筒状部材の中に沈んだ後、さらにこれらを押圧すると、筒状部材が先栓内で移動し、弁を押し開ける。そしてこの時、筒状部材の開口が塗布液吸収体を離れ、開放される。したがって塗布液容器内の液は、弁を経て先栓内に入り、さらに開口を経て筒状部材に入る。そして塗布液は、塗布部材から滲みだし、爪等に塗布される。また押圧をやめると、筒状部材は元の位置に復帰し、筒状部材の開口は塗布液吸収体によって閉塞される。また先栓内に残った余剰の塗布液は、塗布液吸収体に吸収される。
【００１０】
【発明の実施の形態】
以下さらに本発明の実施形態について説明する。図１は、本発明の実施形態の塗布具の断面図である。図２は、図１の塗布具のキャップを除いた先端部分の拡大断面図である。図３は、図２の塗布具の塗布部材を押圧した際における断面図である。図４は、図３の段階から更に塗布部材を押圧した際における断面図である。
【００１１】
図１〜図４において、１は本発明の実施形態の塗布具を示す。本実施形態の塗布具１は、マニキュアの除光液を塗布するものである。本実施形態の塗布具１は、塗布液容器２、先栓３、塗布部材５、筒状部材６、塗布液吸収体７、弁部材８及びキャップ９によって構成される。また他に、塗布部材５を押圧する弱いバネ５０を持つ。
【００１２】
順次説明すると、塗布液容器２は、マニキュア除光液が貯留される部位であり、溶剤に対して耐性があるガラスやアルミニウム等の無機質素材、あるいはポリエチレン樹脂等の合成樹脂によって成型されたものである。塗布液容器２の外形は、円筒形であり、後端側（図面では上部）が閉塞され、先端側が開放されている。塗布液容器２の先端部分１０は、やや細く成型され、当該部位の内面にはねじ１１が設けられている。また先端部分１０と本体部分の間には、内向きのフランジ１３が設けられ、当該部位は狭窄部となっている。本実施形態では、塗布液容器２内にマニキュア除光液が貯留される。マニキュア除光液は、具体的には、アセトン、酢酸ブチル、プロピレングリコール、オキソベンゾン等の有機溶剤である。
【００１３】
先栓３は、前記した塗布液容器２と同様の素材で作られたものであり、内部は空洞であって軸方向に貫通する。先栓３の内径及び外径は、３段階の部分に分かれており、一端から他端にかけて順次外径及び内径が小さくなっている。すなわち先栓３の後端側１２は、最も太く成型されており、当該部位の外周にはねじ１４が設けられている。また中間部１５は、中間程度の内外径を持つ。中間部１５の内部には軸方向に延びるリブ１８が設けられている。先端部分２０の内外径は最も細い。
【００１４】
塗布部材５は、はけ又は筆状の部材であり、直線状の繊維が束ねられたものである。塗布部材５の根元部分２２には、金属又は樹脂の板が設けられており、当該部分だけは相当の剛性を有する。
【００１５】
筒状部材６は、樹脂によって作られたものであり、内部は空洞であるが、一端は蓋部材２５によって閉塞されている。筒状部材６の外周には、軸方向にスリット状の開口２６が設けられている。本実施形態の塗布具では、筒状部材６は、軸方向に力を伝える作用をする部材であり、前記した塗布部材５に比べてはるかに高い剛性を持つ。
【００１６】
塗布液吸収体７は、具体的にはスポンジであり、円筒形をしていて中心部に開口２８が設けられている。
【００１７】
弁部材８は、周知構造のものであり、支持体３０、弁座部材３１、弁本体３２及びバネ３３によって構成されている。すなわち支持体３０は、ポリエチレン樹脂等によって成型された筒状の部材であり、先端部にフランジ３６が設けられている。また中間部は側面に大きな開口部３７が設けられている。さらに支持体３０の後端には穴４０が設けられている。
【００１８】
弁座部材３１は、中間部の外周面にフランジ４１が設けられた円筒体であり、その一端が弁座として機能する。
【００１９】
弁本体３２は、円錐形の閉止部４５を有し、その両端に軸部材４６，４７が設けられたものである。すなわち閉止部４５の円錐先端側には、軸部材４６が設けられており、当該軸部材４６は中空状であり、その先端部分は平坦である。一方、閉止部４５の後方に設けられた軸部材４７は先端が尖っている。
【００２０】
そして前記した支持体３０の内部に弁座部材３１が装着され、さらに弁本体３２の閉止部４５が、弁座部材３１の後端部と支持体３０の後端によって形成される空間に配されている。また弁本体３２の先端側の軸部材４６は、弁座部材３１の内部に配され、後端側の軸部材４７は、支持体３０の後端の穴４０に挿通されている。したがって弁本体３２は、弁座部材３１の後端部と支持体３０の後端によって形成される空間内を軸方向に移動可能である。
【００２１】
また後端側の軸部材４７には、バネ３３が同軸状に装着されており、当該ばねの一端は、支持体３０の後端部と係止し、他端は弁本体３２の閉止部４５と係止している。したがって、弁本体３２は弁座部材３１の端部に常時押圧されており、弁座部材３１の開口を閉塞している。
【００２２】
キャップ９は、公知のそれと同一であり、一端が閉塞した筒状体であり、先栓３部分に装着される。
【００２３】
次に、上記した各部材の組み立て構造について説明する。すなわち塗布液容器２の本体部分と先端部分１０の中間部位に、弁部材８が装着されている。弁部材８は、上記した支持体３０のフランジ３６と、弁座部材３１のフランジ４１が重ねられ、さらにこれらが塗布液容器２のフランジ１３と重ねられている。また塗布液容器２の先端部分１０の内側に先栓３の後端側１２が挿入されている。塗布液容器２の先端部分１０と先栓３は、両者に設けられたねじ１１，１４によって結合されている。そしてさらに先栓３の後端部は、前記した弁部材８の二つのフランジ３６，４１を、塗布液容器２のフランジ１３に押圧し、弁部材８と、塗布液容器２間の液封を確保している。
【００２４】
また前記した先栓３の中には、筒状部材６が軸方向に摺動可能に装着されている。なお、筒状部材６の外周部と先栓３の内面との間には、図示しない係止部が設けられており、筒状部材６が先栓３から抜け落ちることはなく、筒状部材６は先栓３から一部が突出した状態で停止する。筒状部材６の内側端部に設けられた蓋部材２５は、弁本体３２の軸部材４６の先端と当接している。また筒状部材６の周囲に塗布液吸収体７が配され、当該塗布液吸収体７によって、筒状部材６の開口２６が閉塞されている。
【００２５】
さらに上記した筒状部材６の内部には、塗布部材５が摺動自在に配されている。塗布部材５は、筒状部材６の先端から突出及び没入可能である。ただし塗布部材５と筒状部材６の間についても、図示しない係止部が設けられており、塗布部材５が筒状部材６から抜け落ちることはない。
【００２６】
そして塗布部材５の根元部分２２と、筒状部材６の後端たる蓋部材２５の間には、バネ５０が設けられており、塗布部材５は常時、筒状部材６から突出する方向に付勢されている。そしてここで特記するべき事項は、塗布部材５を押圧するバネ５０の強さである。すなわち塗布部材５を押圧するバネ５０は、前記した弁部材８のバネ３３に比べて極めて弱い。より具体的に説明すると、塗布部材５をバネ５０に抗して押圧し、全体が筒状部材６の内部に完全に没入するまで移動させても、当該押圧力によって弁部材８は開口せず、閉塞状態を維持する。
【００２７】
次に本実施形態の塗布具１の作用を、段階を追って説明する。本実施形態の塗布具１を使用する際には、公知の塗布具と同様に、キャップ９を外し塗布部材５を塗布しようとする爪等に押し当てる。塗布具１のキャップ９を外した時の状態は、図２の通りであり、塗布部材５はバネ５０に押圧されて筒状部材６の先端から突出し、筒状部材６は、弁部材８のバネ３３に押されて先端だけが先栓３から突出している。そして塗布部材５を塗布しようとする爪等に押し当てると、塗布部材５は、図２の様に、筒状部材６から突出した状態であったものが、押圧力によって内側に押され、図３の様に筒状部材６の内部に没する。ここで塗布部材５は、バネ５０によって筒状部材６から突出する方向に押圧されているが、当該バネ５０は、弁部材８のバネ３３に比べて極めて弱い力しか発現しえないものであるから、塗布部材５は座屈することなく、軸方向に移動し、筒状部材６の内部に没入する。
【００２８】
その結果、塗布部材５の先端は、筒状部材６の先端と一致する位置まで後退し、以後の押圧力は、直接的に筒状部材６に負荷される。すなわち塗布具１をさらに爪等に押しつけると、爪等に筒状部材６が直接的に当接し、塗布部材５に負荷は掛からない。そのため以後の軸方向力は、直接筒状部材６から弁部材８に伝わる。そして塗布具１をさらに爪等に押しつけると、図４に示すように、弁部材８のバネ３３に抗して筒状部材６と、弁本体３２が一体的に移動し、弁本体３２の閉止部４５が弁座部材３１を離れ、弁部材８が開放される。その結果、塗布液容器２内のマニキュア除光液は、弁本体３２の閉止部４５と弁座部材３１の間を空隙を経て流れ、先栓３内に入る。
【００２９】
また筒状部材６の移動によって、筒状部材６の開口２６が軸方向に移動し、塗布液吸収体７の装着部位を離れ、開口２６が開放される。その結果、先栓３内のマニキュア除光液が筒状部材６の内に流れ込む。そして当該マニキュア除光液は、はけ又は筆状の塗布部材５に含浸される。塗布具１の押圧力を緩めると、はけ又は筆状の塗布部材５はバネ５０に押されて再び筒状部材６から突出する。そして当該塗布部材５によって爪等を撫でると、爪にマニキュア除光液が塗られる。またこの時、弁部材８の弁本体３２が、バネ３３に押圧されて弁座部材３１と当接し、弁部材８が閉塞される。さらに弁本体３２の前進に伴って、これと当接する筒状部材６も前進し、元の位置に復帰する。そのため筒状部材６の開口２６は、塗布液吸収体７によって閉塞される。さらに先栓内に残った、余剰のマニキュア除光液は、塗布液吸収体７に吸収される。したがって、本実施形態の塗布具１によると、マニキュア除光液を爪に塗る際に、マニキュア除光液がぼたつくことはない。
【００３０】
塗布部材５に含まれるマニキュア除光液が減少すると、再度塗布部材５を押圧し、塗布部材５を筒状部材６内に没入させ、筒状部材６を直接的に押圧して軸方向に摺動し、弁部材８を開いて新たにマニキュア除光液を補充する。以後、この作業を繰り返して、所望の塗布を行う。
【００３１】
以上説明した実施形態では、筒状部材６の側面にスリット状の開口２６を設け、さらに当該開口２６を塗布液吸収体７で閉塞する構成を採用した。当該構成は、塗布部材５に過度のマニキュア除光液が送られることを防止し、特にはけ状の塗布部材５を採用する場合の様に、塗布部材５の液体保有能力が低い場合に好適である。しかしながら、本発明はこの構成にこだわるものではなく、塗布液吸収体７を略してもよく、また円筒体の後端部から直接的にマニキュア除光液を導入する構成としてもよい。また上記した実施形態では、弁部材８は、バネ３３によって円錐状の弁本体３２を付勢するものを例示したが、他の付勢部材によって弁本体を付勢する構造の弁部材であってもよい。さらに弁本体の様な押圧部材を持たない構成の弁部材の採用も可能である。すなわち本発明では、弁部材は、所定の押圧によって開放され、押圧力が解けると閉塞される機能を持てば足りる。また上記した実施形態では、塗布部材５を付勢する部材としてバネ５０を採用したが、これをゴム等の他の付勢部材によって置き換えることも可能である。上記した実施形態では、マニキュア除光液を爪に塗る器具を本発明の具体例として取り上げたが、もちろん本発明は、他の用途の塗布具としても広く採用することができる。
【００３２】
【発明の効果】
本発明の塗布具は、塗布液容器内の塗布液が塗布部材に導かれるものであり、旧来の様に、塗布の際に、一々瓶に塗布部材を差し込む必要がなく、使い勝手がよい。また本発明の塗布具では、弁は剛性の高い筒状部材によって開かれ、塗布部材は筒状部材によって保護される。そのため本発明の塗布具では、塗布部材が座屈する心配はない。したがって本発明では、塗布部材にはけ又は筆状のものを採用することができ、塗布液が塗りやすい。
【００３３】
また請求項２に記載の塗布具では、弁が開かれて先栓内に入った塗布液は、さらに筒状部材の開口を経て筒状部材に入る。そのため塗布部材に塗布液が過度に供給されることが防止される。そのため本発明の塗布具は、ぼたつきが少ない効果がある。
【図面の簡単な説明】
【図１】本発明の実施形態の塗布具の断面図である。
【図２】図１の塗布具のキャップを除いた先端部分の拡大断面図である。
【図３】図２の塗布具の塗布部材を押圧した際における断面図である。
【図４】図３の段階から更に塗布部材を押圧した際における断面図である。
【図５】従来技術の塗布具の断面図である。
【符号の説明】
１  塗布具
２  塗布液容器
３  先栓
５  塗布部材
６  筒状部材
７  塗布液吸収体
８  弁部材
５０  バネ
【図１】
0004107448.tif 000002
【図２】
0004107448.tif 000003
【図３】
0004107448.tif 000004
【図４】
0004107448.tif 000005
【図５】
0004107448.tif 000006